(57)【要約】【課題】  液晶表示装置等の面光源装置のコストダウンを可能とするバックライト用反射板及びそれを用いた面光源装置を提供する。【解決手段】  白色反射シートの所要の個所にミシン目を入れ、しぼ付押を行い、ミシン目とミシン目無しのしぼ付押の併用による折目を形成し、反射板を作製する。ミシン目無しのしぼ付押では裏面への光の透過を防ぎ、反射率を安定化させる。両面粘着テープをこの反射板の裏面に貼り、この反射板と板金加工された下部取付板の固定用斜面部とを両面粘着テープの他の面で貼り合せる。【選択図】  図１
2005228534.tif 000002
【特許請求の範囲】
【請求項１】
折目のある白色反射シートにおいて、反射面として機能する部分に位置する折目の少なくとも一部を間欠的なミシン目としぼ付押の併用により形成したことを特徴とするバックライト用反射板。
【請求項２】
前記白色反射シートの裏面に光遮蔽性の被覆層を設けたことを特徴とする請求項１に記載のバックライト用反射板。
【請求項３】
前記白色反射シートの相対する２端からそれぞれ所定の距離に前記の反射面として機能する部分に位置する折目を形成して、反射面側に内向きに所定の角度で折り曲げて斜面反射面を形成したことを特徴とする請求項１又は２に記載のバックライト用反射板。
【請求項４】
請求項３に記載のバックライト用反射板の前記斜面反射面を固定するべく板金加工された下部取付板の固定用斜面部と該反射板の該斜面反射面の裏面とを、該反射板に接する表面及び該下部取付板の該固定用斜面部と接する裏面の部分に少なくとも粘着剤層を有する両面粘着テープで固定したことを特徴とする面光源装置。
【発明の詳細な説明】
【技術分野】
【０００１】
本発明は、液晶表示装置等の面光源装置に用いるバックライト用反射板及びそれを用いた面光源装置に関し、特に液晶テレビやパソコン等の画面（表示面）の比較的大きな液晶表示装置を用いる機器に好ましく用いられるバックライト用反射板及びそれを用いた面光源装置に関する。本発明は、勿論、その原理が同じである限り各種の面光源装置に適用できるが、以下、その代表例としての液晶表示装置に関連して主に説明する。
【背景技術】
【０００２】
直下型バックライト方式の液晶表示装置においては、筐体の中に反射板、冷陰極管等の光源（ランプ）、拡散板、プリズムシート、液晶セルがこの順に積層され、反射板からプリズムシートまでの積層構造で主にバックライトは構成されている。このようなバックライトにおいて、液晶テレビ等の画面（表示面）の比較的大きな液晶表示装置の場合は、発泡白色ＰＥＴ（ポリエチレンテレフタレート）フィルム、ポリオレフィン系多孔層を有する白色フィルム等の白色反射フィルムをアルミニウム板に貼り合わせ、波形に板金加工したものを反射板として作製し、その断面半円凹状の部分に冷陰極管等のランプを配置して用いる。しかし、このような反射板は極めて高価なものであり、液晶表示装置のコストアップに繋がっていた。
【発明の開示】
【発明が解決しようとする課題】
【０００３】
本発明は、上述の従来技術の問題点に鑑みて、液晶表示装置等の面光源装置のコストダウンを可能とするバックライト用反射板及びそれを用いた面光源装置を提供することを目的とする。
【課題を解決するための手段】
【０００４】
本発明は、折目のある白色反射シートにおいて、反射面として機能する部分に位置する折目の少なくとも一部を間欠的なミシン目としぼ付押の併用により形成したことを特徴とするバックライト用反射板を提供するものである。本発明の反射板においては、白色反射シートの裏面に光遮蔽性の被覆層を設け、バックライトの光が白色反射シートを透過してその裏面から逃げるのを防ぐのが好ましい。この光遮蔽性の被覆層としては、灰色乃至黒色に着色した樹脂をコーティングすることにより設けるのが好ましい。
【０００５】
また、本発明のバックライト用反射板は、白色反射シートの相対する２端からそれぞれ所定の距離に前記の反射面として機能する部分に位置する折目を形成して、反射面側に内向きに所定の角度で折り曲げて斜面反射面を形成するのが好ましい。本発明は、このようなバックライト用反射板の上記斜面反射面を固定するべく板金加工された下部取付板の固定用斜面部と該反射板の該斜面反射面の裏面とを、該反射板に接する表面及び該下部取付板の該固定用斜面部と接する裏面の部分に少なくとも粘着剤層を有する両面粘着テープで固定したことを特徴とする面光源装置をも提供する。
【発明の効果】
【０００６】
本発明の反射板は、白色反射シートを用いているので、素材的に極めて安価であり、例えば、安価な鉄板を板金加工した下部取付板に固定して、シンプルな構造の安価な液晶表示装置等の面光源装置を提供することができ、白色反射フィルムをアルミニウム板に貼り合わせて波形に板金加工した従来の反射板を用いた面光源装置と比べて大幅なコストダウンを図ることができる。そして、反射面として機能する部分に位置する反射板の折目の少なくとも一部を間欠的なミシン目としぼ付押の併用（間欠的なミシン目部分とミシン目無ししぼ付押部分の併用）により形成することにより、かかる折目をミシン目のみで形成した場合と比べて、光が下部に漏れるのを少なくし、下部取付板に開けた穴から光が漏れるのを少なくとも相当に防ぐこともでき、液晶表示装置等の面光源装置の輝度向上を図ることができることが分かった。即ち、折目をミシン目のみで形成した場合に冷陰極管等のランプの光がミシン目の穴を透過して反射光が減少することを間欠的なミシン目としぼ付押の併用により最大限防止し、ミシン目無しのしぼ付押の部分では裏面への光の透過を防ぎ、反射率を安定化させる。また、折目をしぼ付押のみで形成した場合の白色反射シートの折り曲げ難さも間欠的なミシン目としぼ付押の併用により最小限にとどめ、折り曲げ作業が簡単となる。
【発明を実施するための最良の形態】
【０００７】
以下、発明を実施するための最良の形態を説明するが、本発明がこれらに限定されるものでないことは言うまでもない。
【０００８】
白色反射シートとして用いる白色フィルムとしては、例えば、液晶表示装置バックライト用白色反射シートとして常用されている発泡によって微細セル（気泡）を形成させた白色ＰＥＴフィルム、ＰＰ等のポリオレフィン樹脂に白色顔料を練り込んで延伸させて微細溝（気泡溝）を形成したポリオレフィン系白色フィルム、ポリエステル樹脂と該樹脂と非相溶性の樹脂及び／又は有機や無機の粒子（炭酸カルシウムや硫酸バリウム等）との混合物を溶融押出しし延伸させて微細気泡を形成させた白色フィルム等を好ましく用いることができるが、これらに限定されるものではない。例えば、極薄押出し白色フィルムを何層にも重ね、層間に微細気泡を包含させた白色フィルムなどや、上記のポリオレフィン樹脂の代りにＰＥＴやポリブチレンテレフタレート（ＰＢＴ）の如き樹脂などを用い上記と同様に微細溝を形成した白色フィルムなども用いることができる。また、内部に微細な気泡を形成させたフィルムの少なくとも片面に有機や無機の粒子を添加した熱可塑性樹脂を共押出などの方法で積層し、延伸し、表層部には内層部よりも微細な気泡を形成させた複合フィルムも好ましく用いることができる。更に、帝人・デュポン株式会社製の商品名がＵＸ−１００、ＵＸ−１５０、ＵＸ−１８８等の白色フィルムも好ましく用いることができる。これらの白色フィルムの厚みは、所望の反射能が確保される限り特に限定されないが、通常、５０〜８００μｍ、好ましくは７０〜４００μｍ、より好ましくは９０〜２５０μｍである。
【０００９】
バックライトの光が白色フィルムを透過してその裏面から逃げるのを防ぎ、また、該裏面から出た光が白色反射シートの下に在る下部取付板などで反射されて、この反射光が液晶表示面（画面）にまで到達して影として現れるのを防ぐため、光遮蔽性の被覆層を設けるのが好ましい。この光遮蔽性の被覆層としては、カーボンブラック等の顔料等で灰色乃至黒色に着色した樹脂の有機溶剤溶液を塗布、乾燥して設けるのが好ましいが、灰色乃至黒色に着色した樹脂フィルムを白色フィルムに粘着剤、ホットメルト接着剤等の接着剤で貼り合わせてもよい。この被覆層の厚みは、２〜２０μｍであるのが好ましく、４〜１０μｍであるのがより好ましい。
【００１０】
白色フィルムの上に紫外線吸収剤含有透明樹脂層を形成してもよいが、必須の構成要素ではない。この層は、冷陰極管等の光源による白色反射シートの劣化を防止し、また、白色反射シートの耐久性を向上させる。通常は、紫外線吸収剤が混合又は化学反応した形で含まれる透明樹脂、好ましくは紫外線吸収剤が化学反応した形で含まれる透明樹脂の有機溶剤溶液を塗布、乾燥して紫外線吸収剤含有透明樹脂層とする。かかる透明樹脂としては、例えば、ベンゾフェノン系やベンゾトリアゾール系紫外線吸収剤を側鎖に持ったアクリルモノマーの他のアクリルモノマーとの共重合体類が一方社油脂株式会社や新中村化学株式会社などから市販されており、これらを用いるのが好ましいが、これらに限定されない。紫外線吸収剤含有透明樹脂層の厚みは、０．３〜１５μｍであるのが好ましく、０．５〜１０μｍであるのがより好ましく、０．５〜６μｍであるのが更に好ましい。
【００１１】
上記の各層を形成するための工業的塗工法としては、例えば、グラビアコーティング、ロールコーティング、ロッドコーティング、スクリーンべた刷りコーティングを挙げることができ、グラビアコーティングが好ましい。
【００１２】
本明細書において、「白色反射シート」とは白色フィルムにその他の層が設けられている場合には、該白色フィルムと該層とを含めた概念と考えてよい。このような白色反射シートに所要のミシン目を入れ、更に所要のしぼ付押加工を行い、所要の角度に折り曲げを行う。ミシン目は常法によりミシン目刃を用いて形成し、しぼ付押加工は刃先の丸い刃を押し付けて形成するのが好ましい。この際、白色反射シートの反射面として機能する部分に位置する折目の少なくとも一部を間欠的なミシン目としぼ付押の併用により形成する様にミシン目を入れ、しぼ付押加工を行うのが重要で、こうすることにより得られる反射板の反射能を高く維持し、液晶表示装置の画面（表示面）の高輝度を確保することができる。白色反射シートの反射面として機能しない部分に位置する折目については全体的なミシン目によって折目を形成してよいのは勿論で、その方が通常であり、白色反射シートの折り曲げが容易である。白色反射シートの反射面として機能する部分に位置する折目であっても所望の輝度によって又はどの部分かによっては間欠的なミシン目としぼ付押の併用が必ずしも全部必要なわけではなく、従って、本発明のバックライト用反射板は、白色反射シートの反射面として機能する部分に位置する折目の”少なくとも一部”を間欠的なミシン目としぼ付押の併用により形成していることが特徴である。即ち、白色反射シートの折り曲げ易さのためのミシン目と、ミシン目から光が漏れ、例えば、さらに下部取付板に開けた穴から光が漏れるのを防ぐと共に、液晶表示装置等の画面の輝度が低下するのを防止するためのミシン目の穴を開けないしぼ付押との併用は、所望の輝度により適所に行えばよい。
【００１３】
間欠的なミシン目としぼ付押の併用される折目において、ミシン目が無いしぼ付押部分が多少でもあればそれ相応の効果が得られるので、両者の比は必ずしも限定されないが、ミシン目：ミシン目無ししぼ付押＝０．２：０．８〜０．８：０．２が好ましく、ミシン目：ミシン目無ししぼ付押＝０．３：０．７〜０．７：０．３がより好ましい。ミシン目が少なすぎると折り曲げて折目を形成して固定するのが困難となり、逆に、ミシン目が多すぎると反射板の反射能が低下し、液晶表示装置の画面（表示面）の輝度が低下する傾向となる。
【００１４】
白色反射シートの反射面として機能する部分に位置する折目の角度も反射能にかなり影響するので、反射板の形状を決定する際に綿密な検討が必要である。白色反射シートの相対する２端からそれぞれ所定の距離に前記の反射面として機能する部分に位置する折目を形成して、反射面側に内向きに所定の角度で折り曲げて斜面反射面を形成するシンプルな形態の反射板の場合は、それらの折目の角度は１５〜７０°が好ましく、２０〜６０°がより好ましく、２５〜５０°が更に好ましい。なお、本発明は、上記のシンプルな形態の反射板に限られず、複数の角波形を形成し、断面凹状の部分に冷陰極管等のランプを配置する様にした反射板でもよい。
【００１５】
上述の様な反射板を板金加工した下部取付板に固定するには、通常は所要個所にホットメルト接着剤等の接着剤や両面粘着テープを用いる。白色反射シートの相対する２端からそれぞれ所定の距離に前記の反射面として機能する部分に位置する折目を形成して、反射面側に内向きに所定の角度で折り曲げて斜面反射面を形成するシンプルな形態の反射板の場合は、その上記斜面反射面を固定するべく板金加工された下部取付板の固定用斜面部と該反射板の該斜面反射面の裏面とを、該反射板に接する表面及び該下部取付板の該固定用斜面部と接する裏面の部分に少なくとも粘着剤層を有する両面粘着テープで固定するのが簡易で好ましい。
【００１６】
本発明の反射板を用いて液晶表示装置を製作するには、反射板を板金加工した下部取付板に固定し、筐体の中に反射板を固定した下部取付板を取り付けて、拡散板、プリズムシート、液晶セルの順に取り付け、積層構造を形成する。
【００１７】
以下、図面を参照しつつ本発明を実施例によって更に具体的に説明するが、本発明は実施例に限定されるものではない。図１は、下部取付板に反射板をどのように固定するかを示す説明斜視図であり、下部取付板の四隅の一隅を含む約１／４の部分を表し、分かり易くするため、反射板の一部を捲り上げた状態を示す。この図は、下部取付板を水平方向に平たく置いて右側の多少上方から眺め下ろした斜視図と考えることができる。
【実施例１】
【００１８】
白色フィルムとしての厚み１８８μｍの発泡白色ＰＥＴフィルムの片面上にカーボンブラックで黒色に着色したポリエステル系樹脂の有機溶剤溶液をグラビアコーティングにより塗布、乾燥して厚み約５μｍの光遮蔽性の被覆層１ｂを形成した白色反射シートを用いた。この白色反射シートの所要の個所にミシン目を入れ、しぼ付押を行い、ミシン目のみの折目２（反射面として機能する部分に実質的に位置しない）及びミシン目とミシン目無ししぼ付押の併用による折目３を形成し、反射板１を作製した。図１に図示されていない上端部分にも同様の折目があるが、折目２と折目３に対応するミシン目のみの折目が形成されている。両面粘着テープ４をこの反射板の裏面に図１に示す様に貼り、この反射板１と板金加工された下部取付板１０の固定用斜面部１１とを貼り合せた。この両面粘着テープの反射板１の裏面と接する面には全面的に粘着剤層が形成され、両面粘着テープの他の面には下部取付板１０の固定用斜面１１に対応する部分のみに、例えば、スクリーン印刷により印刷粘着剤層４ａが形成されている。両面粘着テープ４の両面にはセパレータが設けられているが、使用に際して剥がされる。下部取付板１０の上下の各列において、ほぼ等間隔に７個の固定用斜面が形成されている。なお、下部取付板１０の取付固定穴などの説明は、省略する。
【００１９】
この様にして得られた反射板１を固定した下部取付板１０を筐体に組み込み、横方向に複数の冷陰極管を配置して、その上に拡散板、２枚のプリズムシート、液晶セルの順に積層して組み込み、液晶表示装置を組み立てた。この液晶表示装置を点灯したが、ミシン目から光が漏れて下部取付板１０に開けた穴から光が漏れるのは相当に防がれており、また、その画面（表示面）の輝度は、全ての折目をミシン目のみで形成した場合と比べて、約２％高かった。
【産業上の利用可能性】
【００２０】
本発明のバックライト用反射板は、素材的に極めて安価であり、白色反射シートの折り曲げが容易で輝度を低下させることも無くシンプルな構造で、特に液晶テレビやパソコン等の画面（表示面）の比較的大きな液晶表示装置等の各種の面光源装置に適用して、大幅なコストダウンを達成することができる。
【図面の簡単な説明】
【００２１】
【図１】図１は、下部取付板に反射板をどのように固定するかを示す説明斜視図である。
【符号の説明】
【００２２】
１    反射板
１ｂ  光遮蔽性の被覆層
２    ミシン目のみの折目
３    ミシン目としぼ付押の併用による折目
４    両面粘着テープ
４ａ  印刷粘着剤層
１０  下部取付板
１１  固定用斜面
【図１】
2005228534.tif 000003